【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
ぱちんこ遊技機の遊技領域とは反対面側である裏側に取り付けられる球払出機構であって、
球払出機構は、
遊技球を流下させるための通路であって、遊技機の裏側に取り付けられた遊技球貯留部から流下してきた当該遊技球を受け入れるための通路口である球導入口を有する第一供給通路と、
第一供給通路から流下してきた遊技球を保持するための球保持部が形成されている球払出用回転体と、
球払出用回転体を回転させるための球払出用モータと、
第一供給通路の途中に形成された、球払出用回転体に向かう通路とは別に分岐している、第一供給通路内の遊技球を球払出機構外に導くための通路であって、第一供給通路の上流側から流下してきた遊技球が当該別に分岐している側に流下するよう、第一供給通路の上流側から流下してきた遊技球の重心が当該別に分岐している側に寄っているように形成された排出用通路と、
第一供給通路における遊技球の流路を切り替えるための変位可能に軸支された弁であって、第一の位置又は第二の位置を採り得る流路切替弁と、
流路切替弁を変位させて第一の位置又は第二の位置に切り替えるための流路切替弁変位部材と、
球払出用回転体が回転することにより球払出用回転体から払い出された遊技球を、球払出用回転体から更に流下させるための通路であって、当該球払出機構から当該遊技球を外部に供給するための通路口である球供給口を有する第二供給通路と
を有しており、第一供給通路、排出用通路、流路切替弁、流路切替弁変位部材、球払出用回転体及び球払出用モータ、並びに第二供給通路が一のユニット又は複数のユニットの組み合わせとして形成されているユニット化球払出機構において、
第一供給通路は、
第一供給通路の上流側から流下してきた遊技球の流下方向を、排出用通路に向けて方向転換する屈曲した形状を成す通路である第一屈曲部と、
第一屈曲部から流下してきた遊技球の流下方向を、球払出用回転体へ向かう方向へ方向転換する屈曲した形状を成す通路である第二屈曲部と、
第二屈曲部から流下してきた遊技球の流下方向を、球払出用回転体へ向かう方向へ方向転換する屈曲した形状を成す通路である第三屈曲部と
を少なくとも有し、ここで、流路切替弁は第一の位置にある状態において、第一供給通路の一部をなすよう構成されており、更に、
第一屈曲部、第二屈曲部及び第三屈曲部の通路形状において、
第一屈曲部における屈曲形状の中心点である第一中心点と第二屈曲部における屈曲形状の中心点である第二中心点とが、同一の鉛直線上に存在せず、第一屈曲部における屈曲形状の中心点である第一中心点と第三屈曲部における屈曲形状の中心点である第三中心点とが、同一の鉛直線上に存在しないことに加え、
第一屈曲部、第二屈曲部及び第三屈曲部における通路は、互いに同一方向に湾曲した円弧状の通路が連なった形状をなすよう構成されており、
第二供給通路は、
遊技機の裏側から眺めた際に前方向に突出した形状を成し、
球供給口に至るまでの通路内壁に設けられた部材であって、電気伝導体からなる導電部材を更に有し、
前記導電部材の一端部は前記前方向に突出した形状の通路内壁である
ことを特徴とするユニット化球払出機構。
【手続補正２】
【補正対象書類名】明細書
【補正対象項目名】０００７
【補正方法】変更
【補正の内容】
【０００７】
本態様に係るユニット化球払出機構及びぱちんこ遊技機は、
ぱちんこ遊技機の遊技領域とは反対面側である裏側に取り付けられる球払出機構であって、
球払出機構は、
遊技球を流下させるための通路であって、遊技機の裏側に取り付けられた遊技球貯留部から流下してきた当該遊技球を受け入れるための通路口である球導入口を有する第一供給通路と、
第一供給通路から流下してきた遊技球を保持するための球保持部が形成されている球払出用回転体と、
球払出用回転体を回転させるための球払出用モータと、
第一供給通路の途中に形成された、球払出用回転体に向かう通路とは別に分岐している、第一供給通路内の遊技球を球払出機構外に導くための通路であって、第一供給通路の上流側から流下してきた遊技球が当該別に分岐している側に流下するよう、第一供給通路の上流側から流下してきた遊技球の重心が当該別に分岐している側に寄っているように形成された排出用通路と、
第一供給通路における遊技球の流路を切り替えるための変位可能に軸支された弁であって、第一の位置又は第二の位置を採り得る流路切替弁と、
流路切替弁を変位させて第一の位置又は第二の位置に切り替えるための流路切替弁変位部材と、
球払出用回転体が回転することにより球払出用回転体から払い出された遊技球を、球払出用回転体から更に流下させるための通路であって、当該球払出機構から当該遊技球を外部に供給するための通路口である球供給口を有する第二供給通路と
を有しており、第一供給通路、排出用通路、流路切替弁、流路切替弁変位部材、球払出用回転体及び球払出用モータ、並びに第二供給通路が一のユニット又は複数のユニットの組み合わせとして形成されているユニット化球払出機構において、
第一供給通路は、
第一供給通路の上流側から流下してきた遊技球の流下方向を、排出用通路に向けて方向転換する屈曲した形状を成す通路である第一屈曲部と、
第一屈曲部から流下してきた遊技球の流下方向を、球払出用回転体へ向かう方向へ方向転換する屈曲した形状を成す通路である第二屈曲部と、
第二屈曲部から流下してきた遊技球の流下方向を、球払出用回転体へ向かう方向へ方向転換する屈曲した形状を成す通路である第三屈曲部と
を少なくとも有し、ここで、流路切替弁は第一の位置にある状態において、第一供給通路の一部をなすよう構成されており、更に、
第一屈曲部、第二屈曲部及び第三屈曲部の通路形状において、
第一屈曲部における屈曲形状の中心点である第一中心点と第二屈曲部における屈曲形状の中心点である第二中心点とが、同一の鉛直線上に存在せず、第一屈曲部における屈曲形状の中心点である第一中心点と第三屈曲部における屈曲形状の中心点である第三中心点とが、同一の鉛直線上に存在しないことに加え、
第一屈曲部、第二屈曲部及び第三屈曲部における通路は、互いに同一方向に湾曲した円弧状の通路が連なった形状をなすよう構成されており、
第二供給通路は、
遊技機の裏側から眺めた際に前方向に突出した形状を成し、
球供給口に至るまでの通路内壁に設けられた部材であって、電気伝導体からなる導電部材を更に有し、
前記導電部材の一端部は前記前方向に突出した形状の通路内壁である
ことを特徴とするユニット化球払出機構である。
＜付記＞
尚、本態様とは異なる別態様について以下に列記しておくが、これらには何ら限定されることなく実施することが可能である。
本別態様に係るユニット化球払出機構及びぱちんこ遊技機は、
ぱちんこ遊技機（例えば、ぱちんこ遊技機２）の遊技領域とは反対面側である裏側に取り付けられる球払出機構（例えば、賞球払出ユニット１００）であって、
球払出機構（例えば、賞球払出ユニット１００）は、
遊技球を流下させるための通路であって、遊技機の裏側に取り付けられた遊技球貯留部（例えば、球貯留タンク４０）から流下してきた当該遊技球を受け入れるための通路口である球導入口（例えば、前流入口Ａ１１０１）を有する第一供給通路（例えば、第１前供給通路Ａ１１０２）と、
第一供給通路（例えば、第１前供給通路Ａ１１０２）から流下してきた遊技球を保持するための球保持部（例えば、保持部Ａ１１０３−１）が形成されている球払出用回転体（例えば、回転体Ａ１００３）と、
球払出用回転体（例えば、回転体Ａ１００３）を回転させるための球払出用モータ（例えば、モータＡ１３１０）と、
第一供給通路（例えば、第１前供給通路Ａ１１０２）の途中に形成された、球払出用回転体（例えば、回転体Ａ１００３）に向かう通路とは別に分岐している、第一供給通路（例えば、第１前供給通路Ａ１１０２）内の遊技球を球払出機構（例えば、賞球払出ユニット１００）外に導くための通路であって、第一供給通路の上流側から流下してきた遊技球が当該別に分岐している側に流下するよう、第一供給通路（例えば、第１前供給通路Ａ１１０２）の上流側から流下してきた遊技球の重心が当該別に分岐している側に寄っているように形成された排出用通路（例えば、排出通路Ａ１００４）と、
第一供給通路（例えば、第１前供給通路Ａ１１０２）における遊技球の流路を切り替えるための変位可能に軸支された弁であって、第一の位置又は第二の位置を採り得る流路切替弁（例えば、切替弁Ａ１００５）と、
流路切替弁（例えば、切替弁Ａ１００５）を変位させて第一の位置又は第二の位置に切り替えるための流路切替弁変位部材（例えば、操作部材Ａ１００６）と
を有しており、第一供給通路（例えば、第１前供給通路Ａ１１０２）、排出用通路（例えば、排出通路Ａ１００４）、流路切替弁（例えば、切替弁Ａ１００５）、流路切替弁変位部材（例えば、操作部材Ａ１００６）、球払出用回転体（例えば、回転体Ａ１００３）及び球払出用モータ（例えば、モータＡ１３１０）が一のユニット又は複数のユニットの組み合わせとして形成されているユニット化球払出機構（例えば、賞球払出ユニット１００）において、
第一供給通路（例えば、第１前供給通路Ａ１１０２）は、
第一供給通路（例えば、第１前供給通路Ａ１１０２）の上流側から流下してきた遊技球の流下方向を、排出用通路（例えば、排出通路Ａ１００４）に向けて方向転換する屈曲した形状を成す通路である第一屈曲部（例えば、第１前供給通路第１屈曲部Ａ１１０２−１）と、
第一屈曲部（例えば、第１前供給通路第１屈曲部Ａ１１０２−１）から流下してきた遊技球の流下方向を、球払出用回転体（例えば、回転体Ａ１００３）へ向かう方向へ方向転換する屈曲した形状を成す通路である第二屈曲部（例えば、第１前供給通路第２屈曲部Ａ１１０２−２）と、
第二屈曲部（例えば、第１前供給通路第２屈曲部Ａ１１０２−２）から流下してきた遊技球の流下方向を、球払出用回転体（例えば、回転体Ａ１００３）へ向かう方向へ方向転換する屈曲した形状を成す通路である第三屈曲部（例えば、第１前供給通路第３屈曲部Ａ１１０２−３）と
を少なくとも有し、ここで、流路切替弁（例えば、切替弁Ａ１００５）は第一の位置にある状態において、第一供給通路（例えば、第１前供給通路Ａ１１０２）の一部をなすよう構成されており、更に、
第一屈曲部（例えば、第１前供給通路第１屈曲部Ａ１１０２−１）、第二屈曲部（例えば、第１前供給通路第２屈曲部Ａ１１０２−２）及び第三屈曲部（例えば、第１前供給通路第３屈曲部Ａ１１０２−３）の通路形状において、
第一屈曲部における屈曲形状の中心点である第一中心点と、第二屈曲部における屈曲形状の中心点である第二中心点と、第三屈曲部における屈曲形状の中心点である第三中心点とが、同一の鉛直線上に存在しないことに加え、
第一屈曲部、第二屈曲部及び第三屈曲部における通路は、互いに同一方向に湾曲した円弧状の通路が連なった形状をなす
ことを特徴とするユニット化球払出機構（例えば、賞球払出ユニット１００）である。